(57)【特許請求の範囲】
【請求項１】
表面に表示部を備えるとともに裏面に補助表示部を備えた第１筐体と、表面に操作部を備えた第２筐体とを２軸ヒンジによって結合した構造を有し、テレビ放送を受信可能な携帯電話機であって、
前記第１筐体と前記第２筐体との相互の結合姿態を検出する筐体形態検出部を備え、
前記筐体形態検出部において検出された前記第１筐体と前記第２筐体との相互の結合姿態が変化したことによって、前記補助表示部が前記第１筐体の前面になり、前記操作部が前記第２筐体の前面になるように携帯電話機を開いた制御情報表示時の形態で前記補助表示部にテレビ画像を表示したテレビ視聴時の形態から、前記第１筐体を前記第２筐体に対して１８０度回動して、前記表示部が前記第１筐体の前面になり、前記操作部が前記第２筐体の前面になるように携帯電話機を開いた通話時の形態に変更する使用者の１操作を検出し、
テレビ視聴中に着呼があったとき、前記使用者の１操作のみによって、テレビ視聴状態からオフフックして通話開始可能なように構成されていることを特徴とする携帯電話機。
【請求項２】
前記使用者の１操作が、前記表示部が第１筐体の前面になるように携帯電話機を折り畳んだ形態で前記表示部にテレビ画像を表示したテレビ視聴時の形態であって、テレビ視聴中に着呼があったとき、第１筐体と第２筐体の相互の結合姿態を前記テレビ視聴時の形態から、前記通話時の形態に変更することによって、オフフックして通話開始可能にする操作であることを特徴とする請求項１記載の携帯電話機。
【請求項３】
前記使用者の１操作が、前記通話時の形態から第１筐体を第２筐体に対して９０度回動した形態で前記表示部にテレビ画像を表示したテレビ視聴時の形態であって、テレビ視聴中に着呼があったとき、第１筐体と第２筐体の相互の結合姿態を、前記テレビ視聴時の形態から第１筐体を第２筐体に対して９０度回動して前記通話時の形態に変更することによって、オフフックして通話開始可能にする操作であることを特徴とする請求項１記載の携帯電話機。
【請求項４】
前記使用者の１操作が、前記通話時の形態で前記表示部にテレビ画像を表示してテレビ視聴中に着呼があったとき、操作部に備えられた着信キーを押下することによって、オフフックして通話開始可能にする操作であることを特徴とする請求項１記載の携帯電話機。
【請求項５】
前記携帯電話機が受信音声を出力し、付属するマイクによって送信音声を入力するとともに、携帯電話機を通話状態にするための着信ボタンを備えたヘッドホンを接続可能であるとともに、該ヘッドホンが接続中か否かを検出する手段を備え、該ヘッドホンの接続を検出した状態では、テレビ視聴中に着呼があったとき、使用者の１操作のみによって、テレビ視聴状態から通話状態に変更可能なように構成されていることを特徴とする請求項１記載の携帯電話機。
【請求項６】
前記使用者の１操作が、前記表示部が第１筐体の前面になるように携帯電話機を折り畳んだ形態で前記表示部にテレビ画像を表示してテレビ視聴中に着呼があったとき、前記着信ボタンを押下することによって、オフフックして通話開始可能にする操作であることを特徴とする請求項５記載の携帯電話機。
【請求項７】
前記使用者の１操作が、前記通話時の形態から第１筐体を第２筐体に対して９０度回動した形態で前記表示部にテレビ画像を表示してテレビ視聴中に着呼があったとき、前記着信ボタン又は操作部に備えられた着信キーを押下することによって、オフフックして通話開始可能にする操作であることを特徴とする請求項５記載の携帯電話機。
【請求項８】
前記使用者の１操作が、前記制御情報表示時の形態で前記補助表示部にテレビ画像を表示してテレビ視聴中に着呼があったとき、前記着信ボタン又は操作部に備えられた着信キーを押下することによって、オフフックして通話開始可能にする操作であることを特徴とする請求項５記載の携帯電話機。
【請求項９】
前記使用者の１操作が、前記通話時の形態で前記表示部にテレビ画像を表示してテレビ視聴中に着呼があったとき、前記着信ボタン又は操作部に備えられた着信キーを押下することによって、オフフックして通話開始可能にする操作であることを特徴とする請求項５記載の携帯電話機。
【請求項１０】
前記携帯電話機が受信音声を出力し、付属するマイクによって送信音声を入力するとともに、携帯電話機を通話状態にするための着信ボタンを備えたヘッドホンを接続可能であるとともに、該ヘッドホンが接続中か否かを検出する手段を備え、該ヘッドホンの接続を検出しない状態では、テレビ視聴中に着呼があったとき、請求項２から４のいずれか一に記載の携帯電話機と同様にして使用者の１操作のみによって、テレビ視聴状態から通話状態に変更可能なように構成されていることを特徴とする請求項１記載の携帯電話機。
【発明の詳細な説明】
【技術分野】
【０００１】
この発明は、デジタルテレビ（ＤＴＶ）視聴機能を持つ携帯電話機であって、テレビ視聴時に電話着信報知があったとき、簡単な操作で通話可能状態にすることができる携帯電話機に関する。
【背景技術】
【０００２】
近年において、テレビ視聴機能を持つ携帯電話機が開発され、実用に供されている。これらの携帯電話機においては、テレビ視聴時の性能を向上させるとともに、通話時に必要な機能の確保との両立性を満たすために、種々の工夫をしたものが提案されている。
例えば、第１の筐体をその下端に設けた第１のヒンジを中心として回転可能に構成し、第１のヒンジをその軸に直交する回転軸によって第２のヒンジに固定するとともに、第２のヒンジを第２の筐体の上端に回転可能に取り付けることによって、回転軸の向きを変えられるようにして回転回動可能に構成し、利用しようとする機能に応じて、第１の筐体と第２の筐体との相互の結合姿態を広範囲に変化させることができるようにした、２軸ヒンジ構造の携帯電話機が開発されている。【０００３】
このような従来の２軸ヒンジ構造の携帯電話機では、収納時は、第１の筐体を第２の筐体に対して折り畳んだ状態にするとともに、通話時は、第２のヒンジが回転しない状態で第１のヒンジを回転させて第１の筐体を開いて、第２の筐体に設けられた操作部が表面になるとともに、第１の筐体の表面に設けられた文字等の情報を表示する表示部が前面になるようにし、制御情報設定時は、第１の筐体の裏面に設けられた制御用の情報を表示する補助表示部が前面になるような形態にする。またテレビ視聴時は、第１の筐体を閉じて折り畳んだ状態で、第１の筐体に設けられた表示部が表面になるようにした第１の形態にしてテレビ画像を表示するか、又は第１の筐体を開いた状態で９０度回転させることによって、第１の筐体に設けられた表示部と第２の筐体に設けられた操作部が表面になるようにしてテレビ画像を表示させるようにしている。【０００４】
そして、テレビ視聴中に着呼があったときは、機器に備えられている着信ボタンを操作してオフフックすることによって通話を開始するが、第１の形態の場合は、第２の筐体に設けられた送話部が折り畳まれた筐体の内側に隠れていたり、受話部が通話に適した位置に存在しないことがあって、このままでは通話が困難な場合があった。そこで筐体を開いて通話時の形態に変更してからオフフックして通話を開始するようにしなければならないという不便さがあった。また、第２の形態の場合も、テレビ視聴中に着呼があったときは、着信ボタンを操作してオフフックするとともに、第１の筐体を９０度回転させて通話時の形態に戻してから、通話を開始するようにしなければならないという不便さがあった。【０００５】
これに対して特許文献１においては、折畳型の携帯電話機において、ＴＶスイッチをオンにして携帯電話機を折り畳んだ状態で蓋部の背面の第２表示部でテレビ画像を表示するが、テレビ画像表示中に着信があったときは、携帯電話機を開いてＴＶスイッチをオフにすることによって、通話モードに移行することが開示されている。【０００６】
このように、特許文献１記載の携帯電話機は、折り畳んだ状態でテレビ視聴中に着信があったときは、筐体を開いてからテレビスイッチをオフにして通話を開始しなければならないという不便さがあることは、前述の従来技術の場合と同様である。【０００７】
また特許文献２においては、スライド式構造の場合は、表示部とテレビキーを備えた第１筐体が電話キーを備えた第２筐体に対してスライドしない状態は閉状態であって、テレビキーの操作によってテレビ機能をオンにして表示部においてテレビ画像を表示してテレビ視聴可能であるが、通話時は第１筐体が第２筐体に対してスライドした開状態にし、電話キー（例えばオンフックキー）の操作によって電話機能をオンにしてから通話を行うことが開示されている。
また、回転式構造の場合は、表示部とテレビキーを備えた第１筐体が電話キーを備えた第２筐体に対して９０度回転した状態は閉状態であって、スライド式構造の場合と同様に、テレビキーの操作によってテレビ機能をオンにして表示部においてテレビ画像を表示してテレビ視聴可能であるが、通話時は第１筐体が第２筐体に対して回転しない開状態にしてスライド式構造の場合と同様に、電話キーの操作によって電話機能をオンにしてから通話を行うことが開示されている。【０００８】
しかしながら、特許文献２記載の携帯電話機では、閉状態でテレビ視聴中に通話状態にするためには、筐体の形態を変形して開状態に変更してから電話キーを操作して通話を開始しなければならず、また開状態で第１筐体を９０度回転させた形態でテレビ視聴中に通話状態にするためには、第１筐体を逆に９０度回転させて通話状態にしてから電話キーを操作して通話を開始しなければならないという不便さがあることは、前述の従来技術の場合と同様である。【０００９】
さらに、特許文献３においては、ヘッドホンステレオ受聴機能を複合化した携帯電話機が開示されている。この携帯電話機は、非通話状態ではオーディオ再生手段の出力によってヘッドホンでステレオ音声の再生可能状態となる。この状態で着呼があったときはステレオ音声の出力を遮断するとともにリンガ信号をヘッドホンに供給し、着呼のキー操作によってオーディオ再生手段を停止させて着呼処理を行い、着呼相手の音声をモノラルにしてヘッドホンに供給することが開示されている。【００１０】
しかしながら、特許文献３記載の技術では、オーディオ再生状態ではヘッドホンでステレオ音声受聴可能であるとともに、オーディオ再生停止状態ではヘッドホンでモノラル音声受聴状態になることが開示されているのみであって、携帯電話機におけるテレビ視聴機能と電話機能の切替えについてはなんら記載されていない。
【特許文献１】特開２００５−１０９８１９号公報
【特許文献２】特開２００５−１３６４５７号公報
【特許文献３】特開平０４−２４３３５８号公報
【発明の開示】
【発明が解決しようとする課題】
【００１１】
従来の携帯電話機においては、テレビ視聴状態から通話状態に切り替えるためには、筐体の形態を変更するとともに、なんらかのスイッチ操作を行わなければならず、手間がかかるという問題があった。【００１２】
この発明は上述の事情に鑑みてなされたものであって、携帯電話機の使用者が、テレビ視聴状態から通話状態への切り替え際の操作を、より簡単に行えるようにした携帯電話機を提供する。
【課題を解決するための手段】
【００１３】
上記課題を解決するため、本発明によれば、表面に表示部を備えるとともに裏面に補助表示部を備えた第１筐体と、表面に操作部を備えた第２筐体とを２軸ヒンジによって結合した構造を有し、テレビ放送を受信可能な携帯電話機であって、テレビ視聴中に着呼があったとき、使用者の１操作のみによって、テレビ視聴状態から通話状態に変更可能なように構成されていることを特徴とする携帯電話が提供される。【００１４】
また、本発明の携帯電話は、第１筐体と第２筐体との相互の結合姿態を検出する筐体形態検出部を備え、該筐体形態検出部において検出された前記第１筐体と第２の筐体との相互の結合姿態が変化したことによって、前記使用者の１操作を検出することを特徴としている。【００１５】
また、本発明の携帯電話は、前記使用者の１操作が、前記表示部が第１筐体の前面になるように携帯電話機を折り畳んだ形態で前記表示部にテレビ画像を表示したテレビ視聴時の形態であって、テレビ視聴中に着呼があったとき、第１筐体と第２筐体の相互の結合姿態を前記テレビ視聴時の形態から、前記表示部が第１筐体の前面になり、前記操作部が第２筐体の前面になるように携帯電話機を開いた通話時の形態に変更することによって、オフフックして通話開始可能にする操作であることを特徴としている。【００１６】
また、本発明の携帯電話は、前記使用者の１操作が、前記表示部が第１筐体の前面になり前記操作部が第２筐体の前面になるように携帯電話機を開いた通話時の形態から第１筐体を第２筐体に対して９０度回動した形態で前記表示部にテレビ画像を表示したテレビ視聴時の形態であって、テレビ視聴中に着呼があったとき、第１筐体と第２筐体の相互の結合姿態を、前記テレビ視聴時の形態から第１筐体を第２筐体に対して９０度回動して前記通話時の形態に変更することによって、オフフックして通話開始可能にする操作であることを特徴としている。【００１７】
また、本発明の携帯電話は、前記使用者の１操作が、前記補助表示部が第１筐体の前面になり、前記操作部が第２筐体の前面になるように携帯電話機を開いた制御情報表示時の形態で前記補助表示部にテレビ画像を表示したテレビ視聴時の形態であって、テレビ視聴中に着呼があったとき、第１筐体と第２筐体の相互の結合姿態を、前記テレビ視聴時の形態から第１筐体を第２筐体に対して１８０度回動して前記通話時の形態に変更することによって、オフフックして通話開始可能にする操作であることを特徴としている。【００１８】
また、本発明の携帯電話は、前記使用者の１操作が、前記表示部が第１筐体の前面になり、前記操作部が第２筐体の前面になるように携帯電話機を開いた通話時の形態で前記表示部にテレビ画像を表示してテレビ視聴中に着呼があったとき、操作部に備えられた着信キーを押下することによって、オフフックして通話開始可能にする操作であることを特徴としている。【００１９】
また、本発明の携帯電話は、前記携帯電話機が受信音声を出力し、付属するマイクによって送信音声を入力するとともに、携帯電話機を通話状態にするための着信ボタンを備えたヘッドホンを接続可能であるとともに、該ヘッドホンが接続中か否かを検出する手段を備え、該ヘッドホンの接続を検出した状態では、テレビ視聴中に着呼があったとき、使用者の１操作のみによって、テレビ視聴状態から通話状態に変更可能なように構成されていることを特徴としている。【００２０】
また、本発明の携帯電話は、前記使用者の１操作が、前記表示部が第１筐体の前面になるように携帯電話機を折り畳んだ形態で前記表示部にテレビ画像を表示してテレビ視聴中に着呼があったとき、前記着信ボタンを押下することによって、オフフックして通話開始可能にする操作であることを特徴としている。【００２１】
また、本発明の携帯電話は、前記使用者の１操作が、前記表示部が第１筐体の前面になり前記操作部が第２筐体の前面になるように携帯電話機を開いた通話時の形態から第１筐体を第２筐体に対して９０度回動した形態で前記表示部にテレビ画像を表示してテレビ視聴中に着呼があったとき、前記着信ボタン又は操作部に備えられた着信キーを押下することによって、オフフックして通話開始可能にする操作であることを特徴としている。【００２２】
また、本発明の携帯電話は、前記使用者の１操作が、前記補助表示部が第１筐体の前面になり、前記操作部が第２筐体の前面になるように携帯電話機を開いた制御情報表示時の形態で前記補助表示部にテレビ画像を表示してテレビ視聴中に着呼があったとき、前記着信ボタン又は操作部に備えられた着信キーを押下することによって、オフフックして通話開始可能にする操作であることを特徴としている。【００２３】
また、本発明の携帯電話は、前記使用者の１操作が、前記表示部が第１筐体の前面になり、前記操作部が第２筐体の前面になるように携帯電話機を開いた通話時の形態で前記表示部にテレビ画像を表示してテレビ視聴中に着呼があったとき、前記着信ボタン又は操作部に備えられた着信キーを押下することによって、オフフックして通話開始可能にする操作であることを特徴としている。【００２４】
また、本発明の携帯電話は、前記携帯電話機が受信音声を出力し、付属するマイクによって送信音声を入力するとともに、携帯電話機を通話状態にするための着信ボタンを備えたヘッドホンを接続可能であるとともに、該ヘッドホンが接続中か否かを検出する手段を備え、該ヘッドホンの接続を検出しない状態では、テレビ視聴中に着呼があったとき、使用者の１操作のみによって、テレビ視聴状態から通話状態に変更可能なように構成されていることを特徴としている。
【発明の効果】
【００２５】
本発明の携帯電話機によれば、テレビ視聴状態から通話状態への切り替えを、１操作のみによって行うことができるので、テレビ視聴状態から通話状態への切り替えをより簡単に行うことができるようになる。
【図面の簡単な説明】
【００２６】
上述した目的、およびその他の目的、特徴および利点は、以下に述べる好適な実施の形態、およびそれに付随する以下の図面によってさらに明らかになる。【００２７】
【図１】本発明の第１の実施形態における携帯電話機の回路構成を示すブロック図である。
【図２】同実施例の携帯電話機における通話時の形態と制御情報表示時の形態とを示す図である。
【図３】同実施例の携帯電話機における収納時の形態を示す図である。
【図４】２軸ヒンジの第１の姿態の場合におけるテレビ視聴時の形態を示す図である。
【図５】２軸ヒンジの第２の姿態の場合におけるテレビ視聴時の形態を示す図である。
【図６】本発明の第２の実施形態におけるテレビ視聴時の形態を示す図である。
【発明を実施するための最良の形態】
【００２８】
表面に表示部２０を備えるとともに裏面に補助表示部２１を備えた第１筐体３１と、表面に操作部２３を備えた第２筐体３２とを２軸ヒンジによって結合した構造を有する、テレビ放送を受信可能な携帯電話機において、テレビ視聴中に着呼があったときは、使用者の１操作のみによって、テレビ視聴状態から通話状態に変更可能なように構成されている。【００２９】
（第１の実施形態）
図１は、本実施例の携帯電話機の回路構成を示すブロック図、図２は、本実施例の携帯電話機における通話時の形態と制御情報表示時の形態とを示す図、図３は、本実施例の携帯電話機における収納時の形態を示す図、図４は、２軸ヒンジの第１の姿態の場合におけるテレビ視聴時の形態を示す図、図５は、２軸ヒンジの第２の姿態の場合におけるテレビ視聴時の形態を示す図である。【００３０】
この例の携帯電話機は、図１に示すように、電話送受信アンテナ１１と、電話送受信部１２と、テレビ受信アンテナ１３と、テレビ受信部１４と、送話部１５と、受話部１６と、左スピーカ１７と、右スピーカ１８と、ヘッドホン接続部１９と、表示部２０と、補助表示部２１と、信号処理部２２と、操作部２３と、筐体形態検出部２４と、制御部２５と、メモリ部２６とから概略構成されているとともに、必要に応じて、ジャイロセンサ部２７、ヘッドホン検出部２８を備える。【００３１】
電話送受信アンテナ１１は、電話通信のための無線信号を送受信する。電話送受信部１２は、入力した送信音声信号やデータ信号を無線信号に変換して電話送受信アンテナ１１に供給し、電話送受信アンテナ１１からの無線信号をモノラル音声信号やデータ信号に変換して信号処理部２２に出力する。テレビ受信アンテナ１３は、地上デジタル放送等のデジタルテレビ（以下、単にテレビという）放送信号を受信する。テレビ受信部１４は、テレビ受信アンテナ１３からのテレビ放送信号をステレオ音声信号と画像信号に変換して信号処理部２２に出力する。【００３２】
送話部１５は、音声を送信音声信号に変換して出力する。受話部１６は、受信音声信号を音声に変換して出力する。左スピーカ１７は、ステレオ音声信号の左（Ｌ）成分を出力する。右スピーカ１８は、ステレオ音声信号の右（Ｒ）成分を出力する。ヘッドホン接続部は、ヘッドホンを接続可能であって、接続時、ステレオ音声信号の左成分をヘッドホンの左（Ｌ）ピースに供給し、右成分を右（Ｒ）ピースに供給する。表示部２０は、電話通信時には、メールの文字情報等を表示し、テレビ受信時にはテレビ放送の画像信号を表示する。補助表示部２１は、携帯電話機の制御情報の内容を、設定時及び使用時に表示する。信号処理部２２は、電話送受信部１２及びテレビ受信部１４と、送話部１５、受話部１６、左スピーカ１７、右スピーカ１８、ヘッドホン接続部１９、表示部２０及び補助表示部２１との間における音声信号と画像信号の入出力処理を行う。【００３３】
操作部２３は、通話時及びテレビ放送受信時における使用者の操作情報を入力する。筐体形態検出部２４は、近接スイッチ（不図示）等によって、２軸ヒンジ型携帯電話機の第１筐体と第２筐体との相互の結合姿態（形態）を検出する。制御部２５は、操作部２３からの操作情報及び筐体形態検出部２４からの筐体形態検出情報に応じて、電話送受信部１２及びテレビ受信部１４の動作を制御するとともに、信号処理部２２における各種信号の入出力の制御を行う。メモリ部２６は、制御部２５の動作に必要なプログラムを格納していて、必要に応じて制御部２５に供給するとともに、動作時における各部のデータの一時記憶を行う。ジャイロセンサ部２７は、携帯電話機３０の姿勢が、表示部２０が縦方向になる垂直状態であるか、又は表示部２０が横方向になる水平状態であるかを検出する。ヘッドホン検出部２８は、携帯電話機３０におけるヘッドホンの接続の有無を検出する。【００３４】
以下、２軸ヒンジ構造を有する携帯電話機がとり得る各種形態と、各形態における動作機能とについて説明する。２軸ヒンジの姿態には２種類のものがあるので、それぞれの場合について分けて説明する。
〔２軸ヒンジの第１の姿態〕
２軸ヒンジの第１の姿態は、第２ヒンジを寝かせた状態であって、携帯電話機３０は、前面に表示部２０を備えた第１筐体３１と、前面に操作部２３を備えた第２筐体３２とが第１ヒンジ３３を介して前後方向に開閉自在に結合されているとともに、第１筐体３１が第２筐体３２の面に対して平行に配置された回転軸（不図示）の周りに、回動自在に結合されている。【００３５】
最初、図２を用いて、携帯電話機３０における通話時の形態と、それから制御情報表示時の形態への移行と、通話時及び制御情報表示時に、テレビ視聴中に着呼があったときオフフックして通話可能状態にする際の操作について説明する。
図２(a) は、携帯電話機３０の通話時の形態を示し、第１筐体３１と第２筐体３２とを開いた状態で、第１筐体３１の表示部２０と受話部１６とが前面になり、第２筐体３２の操作部２３と送話部１５とが前面になって、ともに使用者と対面する形態となり、従来の折畳型携帯電話機における電話使用時の形態と同様になる。【００３６】
筐体形態検出部２４は、例えば第１ヒンジ３３の下端面に設けられた近接スイッチ（不図示）と、第２ヒンジ３４の上端面に設けられた近接スイッチ（不図示）とによって、第１筐体３１と第２筐体３２とが図２(a) のような通話時の形態で開かれていることを検出する。この際制御部２５が、通話時の形態であることの検出結果に応じて、電話送受信部１２を動作状態にし、信号処理部２２を通話状態に制御することによって、携帯電話機３０は電話による通信可能な状態となる。
このように、この例の携帯電話機では、第１筐体３１と第２筐体３２とを開いて図２(a) に示す形態にすることによって、通話可能状態となる。【００３７】
なお、この形態で操作部２３の操作に応じて、制御部２５がテレビ受信部１４及び信号処理部２２を制御することによって、表示部２０において、テレビ画像を表示し、左スピーカ１７及び／又は右スピーカ１８からモノラル音声を出力して、テレビ視聴を行うことが可能になる。【００３８】
そして、図２(a) の形態でテレビ視聴中に着呼があったときは、筐体の形態を変更せず（従って筐体の形態検出結果によらず）に、制御部２５は、テレビ受信部１４におけるテレビ受信中の状態検出結果と、電話送受信部１２における着信検出結果とに応じて、例えば操作部２３に設けられた着信キー（不図示）の押下のみによって、オフフックして通話可能状態となる。【００３９】
このようにこの例の携帯電話機では、通話時の形態でテレビ視聴中に着呼があったときは、着信キー押下の１操作のみによって、オフフックして通話を開始することができる。【００４０】
図２(b) は、携帯電話機３０の制御情報表示時の形態を示し、この場合は、図２(a) の状態から、第１筐体３１を回転軸の周りに１８０度回動した状態を示し、第２筐体３２の状態は変わらないが、第１筐体３１は、補助表示部２１が前面になって、ともに使用者と対面する形態となり、従来の折畳型携帯電話機における制御情報表示時の形態と同様になる。【００４１】
筐体形態検出部２４は、例えば第１筐体３１の下端面に設けられた近接スイッチ（不図示）と、第２ヒンジ３４の上端面に設けられた近接スイッチ（不図示）とによって、第１筐体３１と第２筐体３２とが図２(b) に示すような制御情報表示時の形態で開かれていることを検出する。制御部２５が、制御情報表示時の形態であることの検出結果に応じて、操作部２３及び信号処理部２２を制御情報表示状態に制御することによって、携帯電話機３０は、操作部２３からの制御情報の設定、変更が可能な状態となる。
このように、この例の携帯電話機では、通話時の筐体の形態から制御情報表示時の筐体の形態に変更するだけで、通話時の機能から制御情報表示時の機能に変更することができる。【００４２】
なお、この形態で操作部２３の操作に応じて制御部２５がテレビ受信部１４及び信号処理部２２を制御することによって、補助表示部２１においてテレビ画像を表示し、第１筐体の左スピーカ１７及び／又は右スピーカ１８からモノラル音声を出力して、テレビ視聴を行うこともできる。【００４３】
そして、図２(b) の形態でテレビ視聴中に着呼があったときは、第１筐体３１を回転軸の周りに１８０度回動して、図２(a) に示す形態に変更することのみによって、制御部２５は、電話送受信部１２を介する着信検出結果と、テレビ受信部１４におけるテレビ受信中の状態検出結果とに応じて、筐体形態検出部２４における、第１筐体３１の形態が通話状態の形態に変形されたことの検出結果によって、オフフックして通話可能状態となる。【００４４】
このようにこの例の携帯電話機では、制御状態表示時の形態でテレビ視聴中に着呼があったときは、筐体形態変更の１操作のみによって、オフフックして通話を開始することができる。【００４５】
次に、図３を用いて、携帯電話機３０における通話時の形態から収納時の形態への移行と、収納時にテレビ視聴中に着呼があったとき、オフフックして通話可能状態にする際の動作について説明する。
図３(a) は、図２(a) について説明したように、携帯電話機３０の通話時の形態を示している。図３(a)の状態から、第１筐体３１を、第１ヒンジ３３によって１８０度回転することによって、第１筐体３１が、補助表示部２１が前側になるように第２筐体に対して折り畳まれて、図３(b) に示す携帯電話機３０の収納時の形態となる。この場合は、第１筐体３１の表示部３０及び受話部１６と、第１筐体３２の操作部２３及び送話部１５はともに内側となって、収納に適した形態となる。【００４６】
筐体形態検出部２４は、例えば第１筐体３１の前面（表示部２０側の面）に設けられた近接スイッチ（不図示）と、第２筐体３２の前面に設けられた近接スイッチ（不図示）とによって、第１筐体３１と第２筐体３２とが図３(b) のような収納時の形態になったことを検出する。この際制御部２５は、操作部２３における使用者の設定に応じて電話送受信部１２及び信号処理部２２を制御して、収納状態で携帯電話機３０を着信待ちの状態にするか、又は休止状態にするかの選択を予め行なうことができる。【００４７】
このように、この例の携帯電話機では、通話時の筐体の形態から収納時の筐体の形態に変更しただけで、通話時の機能から収納状態での着信待ち状態、または休止状態に変更することができる。【００４８】
次に、図４を用いて、携帯電話機３０における通話時の形態から、筐体折り畳み状態でのテレビ視聴時の形態への移行と、筐体折り畳み状態でのテレビ視聴中に着呼があったとき、オフフックして通話可能状態にする際の動作について説明する。【００４９】
図４(a) は、図２(b) について説明したように、携帯電話機３０の制御情報表示時の形態を示している。図４(a)の状態から、第１筐体３１を、第１ヒンジ３３によって１８０度回転することによって、第１筐体３１の表示部２０が前側になるように第２筐体３２に対して折り畳まれて、図４(b) に示す携帯電話機３０のテレビ視聴時の形態となる。この場合は、第１筐体３１の表示部２０が外側になって、従来のスライド型携帯電話機におけるテレビ視聴時の形態と同様になる。
なお、この場合、携帯電話機３０の制御情報表示時の形態からテレビ視聴時の形態へ移行するのでなく、図２に示されたような、携帯電話機３０の通話時の形態から制御情報表示時の形態に移行したのち、さらに図４に示されたようにして、携帯電話機３０の制御情報表示時の形態からテレビ視聴時の形態へ移行してもよい。【００５０】
筐体形態検出部２４は、例えば第１筐体３１の背面（補助表示部２１側の面）に設けられた近接スイッチ（不図示）と、第２筐体３２の前面に設けられた近接スイッチ（不図示）とによって、第１筐体３１と第２筐体３２とが図４(b) のようなテレビ視聴時の形態で閉じられていることを検出する。この際制御部２５が、テレビ視聴時の形態であることの検出結果に応じて、テレビ受信部１４及び信号処理部２２をテレビ視聴状態に制御することによって、携帯電話機３０は、表示部２０においてテレビ画像を表示するとともに、左スピーカ３３と右スピーカ１８の一方又は双方からモノラルのテレビ音声を出力することができる。【００５１】
この際、携帯電話機３０の姿勢が、表示部２０の長軸が垂直であるか又は水平であるかを検知可能なジャイロセンサ部２７を備えることによって、制御部２５は、ジャイロセンサ部２７の検出結果、携帯電話機３０が、表示部２０が縦方向になる垂直（又はこれに近い）状態のときは、図４(b) に示す縦長画面の形態でテレビ画像を表示し、ジャイロセンサ部２７の検出結果、表示部２０が横方向になる水平（又はこれに近い）状態のときは、図４(c) に示す横長画面の形態でテレビ画像を表示するように、信号処理部２２を制御するので、表示部２０においては、使用者の保持形態に従って、縦長又は横長の画面状態でテレビ画像の表示を行うことができる。【００５２】
さらに、図４(b) に示す縦長画面の形態の場合は、制御部２５は、電話送受信部１２を動作状態にすることによって検知した着信によって、テレビ画像以外の部分に生じる画面上の空白部分において、着信表示を行うことも可能であるとともに、他の制御情報の表示を行わせることも可能である。【００５３】
そして、図４(b) 又は図４(c) の形態でテレビ視聴中に着呼があったときは、第１筐体３１を第１ヒンジ３３によって１８０度回転して、図４(a) に示す形態に変更したのち、第１筐体３１を回転軸によって１８０度回動することによって、制御部２５は、電話送受信部１２を介する着信検出結果と、テレビ受信部１４におけるテレビ受信中の状態検出結果とに応じて、筐体形態検出部２４における、第１筐体３１の形態がテレビ視聴時の形態から通話可能状態の形態に変形されたことを検出する。【００５４】
このように、この例の携帯電話機では、閉じた状態でのテレビ視聴時の筐体の形態でテレビ視聴中に着呼があったときは、通話状態の筐体の形態に変更するのみで、オフフックして通話を開始することができる。【００５５】
〔２軸ヒンジの第２の姿態〕
図５においては、２軸ヒンジの第２の姿態の場合におけるテレビ視聴時の形態が示されている。
２軸ヒンジの第２の姿態は、第２ヒンジ３４を起こした状態であって、携帯電話機３０は、前面に表示部２０を備えた第１筐体３１が、前面に操作部２３を備えた第２筐体３２に対して、第１ヒンジ３３を介して前後方向に回転可能に結合されているとともに、第１筐体３１が第２筐体３２に対して垂直に固定された回転軸（不図示）を介して、第２筐体３２の面に沿って回動可能に結合されている。【００５６】
この場合は、携帯電話機３０は、図３(a) の場合と同様な開いた通話時の形態から、第１ヒンジ３３によって、第１筐体３１を表示部２０と受話部１６が内側になるように第２筐体３２に対して折り畳むことによって、図３(b) の場合と同様な収納時の形態となる。また、図２(a) の場合と同様な開いた通話時の形態から、一旦、折り畳んだ収納時の形態にしたのち、第１筐体３１を１８０度回転させて開いた状態とすることによって、図２(b) の場合と同様な制御情報表示時の形態となる。【００５７】
これらの場合における筐体形態検出部２４による筐体の形態の検出は、前述の２軸ヒンジの第１の姿態の場合と同様にして行うことができる。また、筐体形態の検出結果に基づく通話状態の設定、制御情報表示状態の設定及び収納状態の設定も、前述の２軸ヒンジの第１の姿態の場合と同様にして行うことができる。【００５８】
次に、図５を用いて、携帯電話機３０において、テレビ視聴時の形態で着呼があったとき、通話時の形態に１操作で変更できることについて説明する。
図５は、携帯電話機３０のテレビ視聴時の形態を示している。この場合は、図２(a) 又は図３(a) に示された通話時の携帯電話機の形態から第１筐体３１を回転軸によって９０度回動することによって、第１筐体３１が表示部２０が前側になる状態で、第２筐体３２の前面上部に直交して折り曲げられることによって、第１筐体３１の表示部２０が表側になるとともに、第２筐体３２の操作部２３が操作可能な状態に同じ面に現われる、従来のターン型携帯電話機におけるテレビ視聴時の形態と同様になる。【００５９】
この状態では、筐体状態検出部２４が第１筐体３１と第２筐体３２の相互の姿態を検出することによって、制御部２５がテレビ受信部１４を動作状態にするとともに、信号処理部２２を制御して、表示部２０においてテレビ画像を横長に表示するとともに、左スピーカ１７と右スピーカ１８とからステレオ音声を出力するテレビ視聴状態を実現する。なお、この状態で電話送受信部１２において着呼が検出されたときは、制御部２５は、テレビ画面上において所定の着呼表示を行うことができる。
このように、携帯電話機３０を通話時の形態から図５に示された形態に変更することによって、通話状態からテレビ視聴状態に移行することができる。【００６０】
そして、図５の形態でテレビ視聴中に着呼があったときは、第１筐体３１を回転軸の周りに９０度回動して、図２(a) 又は図３(a) に示す形態に変更することによって、制御部２５は、電話送受信部１２を介する着信検出結果と、テレビ受信部１４におけるテレビ受信中の状態検出結果とに応じて、筐体形態検出部２４における、第１筐体３１の形態が通話状態の形態に変形されたことの検出によって、通話可能状態となる。【００６１】
このように、２軸ヒンジの第２の姿態の場合、テレビ視聴中に着呼があったときは、第１筐体３１の９０度回動状態における横方向のテレビ視聴形態から、通話状態の形態に変更する１操作のみによって、オフフックして通話を開始することができる。
また、折り畳み状態の縦方向又は横方向のテレビ視聴形態、制御情報表示状態でのテレビ視聴形態のときは、着信検出に基づく筐体形態変更の１操作のみによって、オフフックして通話を開始することができ、通話状態でのテレビ視聴形態のときは、着信キー押下の１操作のみによって、オフフックして通話を開始することができることは、前述の２軸ヒンジの第１の形態の場合と同様である。【００６２】
（第２の実施形態）
図６は、本発明の第２実施例におけるテレビ視聴時の形態を示す図である。
この例の場合は、携帯電話機４０は、実施例１の構成において、左スピーカ１７、右スピーカ１８及び送話部１５に代えて、又は左スピーカ１７、右スピーカ１８及び送話部１５とは別に、図６に示すように、ステレオのヘッドホン３５を備えるとともに、ヘッドホン３５上にマイク３６を備えている。ヘッドホン３５とマイク３６を使用する場合は、左スピーカ１７、右スピーカ１８及び送話部１５は不動作とされる。さらにヘッドホン３５には、着呼時、携帯電話機４０をオフフックするための着信ボタン３７が備えられている。なお、この例の場合は、図１に示す回路構成において、制御部２５にヘッドホン検出部２８を備える。【００６３】
次に図６を用いて、携帯電話機４０における、折り畳み状態の縦方向又は横方向のテレビ視聴形態、第１筐体３１の９０度回転状態における横方向のテレビ視聴形態、制御情報表示状態でのテレビ視聴形態、及び通話状態でのテレビ視聴形態から、着信検出結果に応じて、オフフックして通話を開始する場合の動作について説明する。【００６４】
図４(b) の場合と同様の折り畳み状態の縦方向のテレビ視聴形態、又は図４(c) の場合と同様の折り畳み状態の横方向のテレビ視聴形態で、テレビ視聴中に着呼があったときは、制御部２５はヘッドホン検出部２８においてヘッドホンの接続の有無を検出して、ヘッドホン３５が接続されている場合は、ヘッドホン３５の着信ボタン３７の押下によって、オフフックして通話を開始する。またヘッドホン３５が接続されていない場合は、筐体形態検出部２４において、携帯電話機４０が図２(a) 又は図３(a) の場合と同様の通話時の形態に変形されたことを検出したとき、オフフックして通話を開始する。【００６５】
図６に示す第１筐体３１の９０度回転状態における横方向のテレビ視聴形態で、テレビ視聴中に着呼があったときは、制御部２５はヘッドホン検出部２８においてヘッドホンの接続の有無を検出して、ヘッドホン４４が接続されている場合は、操作部２３の着信キー又はヘッドホン３５の着信ボタン３７の押下によって、オフフックして通話を開始する。またヘッドホン３５が接続されていない場合は、筐体形態検出部２４において、携帯電話機４０が図２(a) 又は図３(a) の場合と同様の通話時の形態に変形されたことを検出したとき、オフフックして通話を開始する。【００６６】
図２(b) の場合と同様の制御情報表示時におけるテレビ視聴形態で、テレビ視聴中に着呼があったときは、制御部２５はヘッドホン検出部２８においてヘッドホンの接続の有無を検出して、ヘッドホン３５が接続されている場合は、操作部２３の着信キー又はヘッドホン３５の着信ボタン３７の押下によって、オフフックして通話を開始する。またヘッドホン３５が接続されていない場合は、筐体形態検出部２４において、携帯電話機４０が図２(a) 又は図３(a) の場合と同様の通話時の形態に変形されたことを検出したとき、オフフックして通話を開始する。【００６７】
図２(a) 又は図３(a) の場合と同様の通話時におけるテレビ視聴形態で、テレビ視聴中に着呼があったときは、制御部２５はヘッドホン検出部２８においてヘッドホンの接続の有無を検出して、ヘッドホン３５が接続されている場合は、操作部２３の着信キー又はヘッドホン３５の着信ボタン３７の押下によって、オフフックして通話を開始する。またヘッドホン３５が接続されていない場合は、操作部２３の着信キーの押下によって、オフフックして通話を開始する。【００６８】
このように、この例の場合、携帯電話機４０においてヘッドホン使用状態では、折り畳み時の縦方向又は横方向のテレビ視聴形態、第１筐体３１の９０度回動状態における横方向のテレビ視聴形態、制御情報表示状態でのテレビ視聴形態、及び通話状態でのテレビ視聴形態から、着信検出に基づく、操作部２３の着信キーの押下又はヘッドホン３５の着信ボタン３７押下の１操作のみによって、オフフックして通話を開始することができる。【００６９】
以上、この発明の実施例を図面により詳述してきたが、具体的な構成はこの実施例に限られるものではなく、この発明の要旨を逸脱しない範囲の設計の変更等があってもこの発明に含まれる。例えば、操作部における各種操作用キーの種類と、その配置等は、携帯電話機の機能に応じて自由に選択することができる。
【産業上の利用可能性】
【００７０】
この発明の携帯電話機は、どのような通信方式の携帯電話機においても、利用可能なものである。
【図１】
0005151976.tif 000002
【図２】
0005151976.tif 000003
【図３】
0005151976.tif 000004
【図４】
0005151976.tif 000005
【図５】
0005151976.tif 000006
【図６】
0005151976.tif 000007